【手続補正書】
【提出日】平成29年10月19日(2017.10.19)
【手続補正１】
【補正対象書類名】特許請求の範囲
【補正対象項目名】全文
【補正方法】変更
【補正の内容】
【特許請求の範囲】
【請求項１】
制御装置と前記制御装置に接続される接続機器とで構成される制御システムの構成を管理する機器構成管理装置であって、
前記接続機器と接続可能であり、あらかじめ定められた複数のデータパターンのうちの固有の１つのデータパターンの試験データを生成する試験データ生成部と、
前記複数のデータパターンの定義と前記データパターンの識別情報との対応を含むデータパターン情報を記憶する第１の記憶部と、
前記データパターンの識別情報と前記接続機器との対応を含む第１の組み合わせ情報を記憶する第２の記憶部と、
前記接続機器と前記試験データ生成部が接続された状態で、前記制御装置から受信した前記試験データ、前記データパターン情報および前記第１の組み合わせ情報に基づいて、前記制御装置に接続された前記接続機器を特定する接続機器特定部と、
を備えることを特徴とする機器構成管理装置。
【請求項２】
前記第２の記憶部は、前記接続機器ごとに前記接続機器が前記制御装置に接続されているか否かを示す情報である接続状態情報を記憶し、
前記接続機器特定部は、前記制御装置に接続された前記接続機器を特定した結果に基づいて、前記接続状態情報を更新することを特徴とする請求項１に記載の機器構成管理装置。
【請求項３】
表示装置、
を備え、
前記第１の組み合わせ情報は、前記接続機器の接続先として計画されている前記制御装置の識別情報を含み、
前記接続機器特定部は、前記試験データの送信元の前記制御装置の識別情報と前記第１の組み合わせ情報に基づいて、前記接続機器の接続先が計画された前記制御装置であるか否かを判断し、前記接続機器の接続先が計画された前記制御装置でない場合に、前記接続機器の接続先が計画された前記制御装置でないことを示す情報を前記表示装置へ表示させることを特徴とする請求項１または２に記載の機器構成管理装置。
【請求項４】
前記接続機器特定部による前記接続機器の特定結果と、前記制御装置へ接続される計画された接続順序を示す情報と、前記第１の組み合わせ情報と、前記接続状態情報とに基づいて、前記接続機器の接続順が正しいか否かを判断する接続誤り判定部、を備えることを特徴とする請求項２に記載の機器構成管理装置。
【請求項５】
前記接続機器の前記制御装置への接続順と前記接続機器の接続先として計画されている前記制御装置の識別情報とのうち少なくとも一方に基づいて前記接続機器に割当てる前記データパターンを決定する試験データパターン割当部、
を備えることを特徴とする請求項４に記載の機器構成管理装置。
【請求項６】
制御装置と、
前記制御装置に接続される接続機器と、
前記制御装置および前記接続機器の構成を管理する機器構成管理装置と、
を備え、
前記機器構成管理装置は、
前記接続機器と接続可能であり、あらかじめ定められた複数のデータパターンのうちの固有の１つのデータパターンの試験データを生成する試験データ生成部と、
前記複数のデータパターンの定義と前記データパターンの識別情報との対応を含むデータパターン情報を記憶する第１の記憶部と、
前記データパターンの識別情報と前記接続機器との対応を含む第１の組み合わせ情報を記憶する第２の記憶部と、
前記接続機器と前記試験データ生成部が接続された状態で、前記制御装置から受信した前記試験データ、前記データパターン情報および前記第１の組み合わせ情報に基づいて、前記制御装置に接続された前記接続機器を特定する接続機器特定部と、
を備えることを特徴とする制御管理システム。
【請求項７】
制御装置と前記制御装置に接続される接続機器とで構成される制御システムの構成を管理する機器構成管理装置における接続機器特定方法であって、
あらかじめ定められた複数のデータパターンの定義と前記データパターンの識別情報との対応を含むデータパターン情報を記憶する第１の記憶ステップと、
前記データパターンの識別情報と前記接続機器との対応を含む第１の組み合わせ情報を記憶する第２の記憶ステップと、
前記接続機器と接続された試験データ生成部が、前記複数のデータパターンのうちの固有の１つのデータパターンの試験データを生成するデータ生成ステップと、
前記接続機器と前記試験データ生成部が接続された状態で、前記制御装置から受信した前記試験データ、前記データパターン情報および前記第１の組み合わせ情報に基づいて、前記制御装置に接続された前記接続機器を特定する接続機器特定ステップと、
を含むことを特徴とする接続機器特定方法。
【手続補正２】
【補正対象書類名】明細書
【補正対象項目名】００１６
【補正方法】変更
【補正の内容】
【００１６】
第２の記憶部である機器情報格納装置４は、機器情報を記憶する。機器情報は、第１の組み合わせ情報４１と、第２の組み合わせ情報４２および接続状態情報４３を含む。第１の組み合わせ情報４１は、接続機器２（図１では機器と略す）と、接続機器２の接続先として計画されている制御装置３（図１では制御装置と略す）と、試験データ生成部１によって生成される試験データのデータパターン（図１ではデータパターンと略す）との対応を示す情報である。すなわち、機器情報格納装置４は、データパターンの識別情報と接続機器３との対応を含む第１の組み合わせ情報４１を記憶する。第２の組み合わせ情報４２は、制御装置３から受信した試験データのデータパターン（図１ではデータパターンと略す）と、試験データの送信元の制御装置３（図１では制御装置と略す）と、試験データを受信した日時である受信日時とを含む。接続状態情報４３は、接続機器ごとの接続状態を示す。
【手続補正３】
【補正対象書類名】明細書
【補正対象項目名】００１７
【補正方法】変更
【補正の内容】
【００１７】
第１の組み合わせ情報４１および接続状態情報４３には、本実施の形態の制御システムを構成することが計画されている全ての接続機器２についての情報が格納される。第１の組み合わせ情報４１および接続状態情報は、例えば、入力装置１０を用いたユーザからの入力、または他のシステムからのインポートすなわち他のシステムからの情報の受信によりあらかじめ設定される。ユーザが制御システムに制御装置３または接続機器２を追加する場合には、ユーザは第１の組み合わせ情報４１および接続状態情報を更新する。第１の組み合わせ情報４１と、第２の組み合わせ情報４２および接続状態情報４３の詳細については後述する。
【手続補正４】
【補正対象書類名】明細書
【補正対象項目名】００１８
【補正方法】変更
【補正の内容】
【００１８】
接続機器特定部５は、制御装置３から受信した試験データとデータパターン情報格納装置１８に格納されているデータパターン情報とを照合することで、受信した試験データのデータパターンを特定し、特定したデータパターンと機器情報格納装置４に格納されている機器情報とを照合することで、制御装置に接続される接続機器を特定する。接続機器特定部５は、接続機器２と試験データ生成部１が接続された状態で、制御装置３から受信した試験データ、データパターン情報および第１の組み合わせ情報４１に基づいて、制御装置に接続された接続機器２を特定する。接続機器特定部５は、制御装置３から受信した試験データとデータパターン情報格納装置１８に格納されているデータパターン情報とを照合することで、受信した試験データのデータパターンを特定するデータパターン照合部５１を備える。接続機器特定部５は、制御装置３に接続される接続機器２を特定すると、特定した結果に基づいて接続状態情報４３を更新する。すなわち、接続機器特定部５は、制御装置３に接続された接続機器２を特定した結果に基づいて、接続状態情報４３を更新する。
【手続補正５】
【補正対象書類名】明細書
【補正対象項目名】００１９
【補正方法】変更
【補正の内容】
【００１９】
接続機器特定部５は、接続状態情報４３を更新すると、更新後の接続状態情報４３を含む情報を表示装置９へ表示する。
【手続補正６】
【補正対象書類名】明細書
【補正対象項目名】００２３
【補正方法】変更
【補正の内容】
【００２３】
ここで、機器構成管理部８が、試験データを受信するまでの動作について説明する。機器構成管理部８は、接続機器とデータパターンの組み合わせを示す情報である第１の組み合わせ情報４１を予め機器情報格納装置４に記憶する。第１の組み合わせ情報４１は、上述したように、例えば、入力装置１０を用いたユーザからの入力、または他のシステムからのインポートすなわち他のシステムからの情報の受信により、あらかじめ機器情報格納装置４に記憶される。
【手続補正７】
【補正対象書類名】明細書
【補正対象項目名】００３２
【補正方法】変更
【補正の内容】
【００３２】
次に、データパターン照合部５１は、試験データのデータパーンを照合する（ステップＳ２２）。具体的には、データパターン照合部５１は、ステップＳ２１で求めた情報と、データパターン情報格納装置１８に格納されているデータパターン情報内の各データパターンの定義とを照合する。図６のような固定の値で定義されたデータパターンを用いる場合、ステップＳ２２では、データパターン照合部５１は、ステップＳ２１で求めた値とデータパターン情報の各データパターンで定義されている値とを比較する。図７のような周波数と振幅の組み合わせで定義されたデータパターンを用いる場合、ステップＳ２２では、データパターン照合部５１は、ステップＳ２１で求めた周波数および振幅と、データパターン情報の各データパターンで定義されている周波数および振幅と、を比較する。
【手続補正８】
【補正対象書類名】明細書
【補正対象項目名】００３６
【補正方法】変更
【補正の内容】
【００３６】
図４の説明に戻り、ステップＳ２の照合および特定の後、機器構成管理部８の接続機器特定部５は、特定したデータパターンから接続機器２を特定する（ステップＳ３）。図１２は、実施の形態１の接続機器特定部５における接続機器の特定手順の一例を示すフローチャートである。接続機器特定部５は、ステップＳ２で特定されたデータパターンを割当てられた接続機器２を探す（ステップＳ３１）。具体的には、ステップＳ２で特定されたデータパターンと、機器情報格納装置４に格納されている第１の組み合わせ情報４１とを照合し、ステップＳ２で特定されたデータパターンに対応する接続機器２を特定する。
【手続補正９】
【補正対象書類名】明細書
【補正対象項目名】００３９
【補正方法】変更
【補正の内容】
【００３９】
そして、接続機器特定部５は、送信元の制御装置３が計画した制御装置であるか否かを判断する（ステップＳ３３）。具体的には、接続機器特定部５は、機器情報格納装置４に格納されている第１の組み合わせ情報４１を参照し、特定した接続機器２に対応する第１の組み合わせ情報４１内の送信元制御装置が、試験データの送信元の制御装置と一致するか否かを判断する。例えば、第１の組み合わせ情報４１が図５に示すように設定されている場合、今回の処理対象である試験データがデータパターンＩＤ１であり接続機器２の機器ＩＤが２であると特定した場合、第１の組み合わせ情報４１には対応する計画された制御装置３として制御装置ＩＤ１が設定されている。このとき、試験データの送信元の制御装置３の制御装置ＩＤが３であったとすると、ステップＳ３３で、接続機器特定部５は、送信元の制御装置３が計画された制御装置、すなわち接続機器２の接続先として計画されている制御装置３、の識別情報ではないと判断する。
【手続補正１０】
【補正対象書類名】明細書
【補正対象項目名】００４５
【補正方法】変更
【補正の内容】
【００４５】
図１７は、ステップＳ４２により、機器構成管理情報が表示された画面の一例を示す図である。図１７では、接続機器２の識別情報である機器ＩＤと、試験データの送信元の制御装置の識別情報である送信元制御装置ＩＤと、試験データに基づいて特定されたデータパターンの識別情報であるデータパターンＩＤと、接続機器２が制御装置３に接続しているか否かを示す接続状態と、試験データを初回に受信した日時である初回受信日時とが表示装置９へ表示される例を示している。接続機器特定部５は、これらの情報を機器情報格納装置４から取得して画面表示用のデータを生成して表示装置９へ出力する。なお、図１７では、各機器の、機器ＩＤと、送信元制御装置ＩＤと、データパターンＩＤと接続状態と初回受信日時とを示しているが、これに限らず、例えば、現在試験データを受信している接続機器２の機器ＩＤを表示するようにしてもよい。図１７に示すように初回受信日時とともに接続状態を一覧で示すことにより、ユーザが接続機器２ごとに接続機器２を制御装置３に初回に接続した日時を記録しておけば、記録した日時と表示装置９に表示された情報とを照らし合わせることで、所望の接続機器２が正しく接続されているかを確認することができる。
【手続補正１１】
【補正対象書類名】明細書
【補正対象項目名】００５１
【補正方法】変更
【補正の内容】
【００５１】
実施の形態２の機器情報格納装置４には、第３の組み合わせ情報４１ａ、第４の組み合わせ情報４２ａ、実施の形態１と同様の接続状態情報４３が予め記憶される。第３の組み合わせ情報４１ａは、実施の形態１で述べた第１の組み合わせ情報４１に、各接続機器に対する計画された接続順序を示す計画接続順序を追加した情報である。第４の組み合わせ情報４２ａは、実施の形態１で述べた第２の組み合わせ情報４２から、試験データを受信した制御装置を示す情報を削除した情報である。
【手続補正１２】
【補正対象書類名】明細書
【補正対象項目名】００５７
【補正方法】変更
【補正の内容】
【００５７】
ユーザは、接続機器２と試験データ生成部１とを第３の組み合わせ情報４１ａに従って接続する。ユーザは、例えば、第３の組み合わせ情報４１ａによりデータパターンＩＤ１が割当てられている接続機器２にはデータパターンＩＤ１が割当てられている試験データ生成部１を接続する。また、ユーザは、第３の組み合わせ情報４１ａ内の計画接続順序に従って、接続機器２を制御装置３に接続する。ここでは、図４に示す処理を１つの接続機器２を接続するごとに実施するとし、図４に示した処理の実施のたびに、ユーザは、計画接続順序に従って、接続機器２を制御装置３に接続する。ステップＳ１１およびステップＳ１２は実施の形態１と同様である。
【手続補正１３】
【補正対象書類名】明細書
【補正対象項目名】００６１
【補正方法】変更
【補正の内容】
【００６１】
計画接続順序であると判定した場合（ステップＳ３６  Ｙｅｓ）、作業ミス検知部７は、接続機器の特定処理を終了する。計画接続順序でないと判定した場合（ステップＳ３６  Ｎｏ）、接続機器特定部５ａは、計画接続順序でない旨を警告し（ステップＳ３７）、接続機器の特定処理を終了する。計画接続順序でない旨の警告方法は、表示装置９に計画接続順序でない旨を示す情報を表示させる方法が考えられる。
【手続補正１４】
【補正対象書類名】明細書
【補正対象項目名】００６３
【補正方法】変更
【補正の内容】
【００６３】
上述したように、試験データパターン割当部６は、接続機器２の制御装置３への接続順を示す第３の組み合わせ情報４１ａに基づいてデータパターンを接続機器へ割当てる。また、接続誤り判定部である作業ミス検知部７は、接続機器特定部５ａによる接続機器２の特定結果と、第３の組み合わせ情報４１ａと、接続状態情報４３とに基づいて、接続機器２の接続順が正しいか否かを判断する。なお、実施の形態２の第３の組み合わせ情報４１ａは、実施の形態１の第１の組み合わせ情報４１と制御装置３へ接続される計画された接続順序を示す情報とを含む。